(57)【要約】【課題】男性の身体障害者が立った状態で大便器に小用する際には体を支えることが出来、大便器に着座して用を足す際には邪魔にならないような身体障害者用の手摺りを提供する。【解決手段】大便器背後で大便器より上方の壁面に取り付けられる身体障害者用手摺りであって、前記壁面への固定部と、床面に対し略水平方向に延び前記大便器の幅方向より長い寸法の体支え部と該体支え部に連設され前記固定部に回動自在に取り付けられる軸部とを有する手摺り本体とを備え、前記体支え部が前記大便器の上方で該大便器の略中央部を跨ぐような手摺り利用位置と、この手摺り利用位置から上方に回動した位置であって前記壁面に近接した収納位置との間を回動可能にしている。【選択図】  図１
2004275245.tif 000002
【特許請求の範囲】
【請求項１】
大便器背後で大便器より上方の壁面に取り付けられる身体障害者用手摺りであって、前記壁面への固定部と、床面に対し略水平方向に延び前記大便器の幅方向より長い寸法の体支え部と該体支え部に連設され前記固定部に回動自在に取り付けられる軸部とを有する手摺り本体とを備え、前記体支え部が前記大便器の上方で該大便器の略中央部を跨ぐような手摺り利用位置と、この手摺り利用位置から上方に回動した位置であって前記壁面に近接した収納位置との間を回動可能であることを特徴とする身体障害者用手摺り。
【請求項２】
前記軸部が前記収納位置にあるとき、前記軸部の略中央部分が前記壁面より突出していることを特徴とする請求項１記載の身体障害者用手摺り。
【発明の詳細な説明】
【０００１】
【発明の属する技術分野】
本発明は大便器背後で大便器より上方の壁面に取り付けられる身体障害者用手摺りに関する。
【０００２】
【従来の技術】
従来、手足が不自由な方やお年寄りなどの男性身体障害者用手摺り付き小便器は男性用トイレ内に健常者用の小便器と併設されている。従って、男性身体障害者が小用を足そうと男性用トイレ内に入っても、トイレ内が健常者で混んでいたり健常者が手摺り付き小便器を利用していたりして、なかなか利用できなかった。又、男性身体障害者が手摺り付き小便器を利用できたとしても、健常者と違って前方に小便器に向って排尿できず、ズボンを濡らしたり小便器周りを汚したりすることが有った。そこで男性身体障害者が小用を足すために身体障害者用トイレブースに入っても、身体障害者用トイレブース内に設置される便器は通常座って利用する大便器であって、身体障害者が大便器に着座したり大便器から立ち上がったりすることを補助する手摺りが設けられている。（例えば特許文献１参照）
【０００３】
【特許文献１】
特開２００２−９５６１２号公報（図１）
【０００４】
【発明が解決しようとする課題】
従って、男性身体障害者が立った状態で大便器の便蓋や便座を立ち上げて大便器に向って排尿しようとして、従来の手摺りでは体を手摺りに寄りかかって支えることが出来ず、立った状態を維持することが出来ないので、いちいちズボンや下着を脱いで大便器に着座して利用しているが、この脱衣作業が極めて大変であった。また、手摺り付き小便器のように大便器にも体を支える手摺りを設置することが考えられるが、大便器に着座して用を足す際にはこの手摺りが邪魔になってしまう。
【０００５】
本発明は、上記課題を解決し、男性身体障害者が立った状態で大便器に小用する際には体を支えることが出来、大便器に着座して用を足す際には邪魔にならないような身体障害者用の手摺りを提供することにある。
【０００６】
【課題を解決するための手段】
上記課題を解決するために、本発明の大便器背後で大便器より上方の壁面に取り付けられる身体障害者用手摺りは、前記壁面への固定部と、床面に対し略水平方向に延び前記大便器の幅方向より長い寸法の体支え部と該体支え部に連設され前記固定部に回動自在に取り付けられる軸部とを有する手摺り本体とを備え、前記体支え部が前記大便器の上方で該大便器の略中央部を跨ぐような手摺り利用位置と、この手摺り利用位置から上方に回動した位置であって前記壁面に近接した収納位置との間を回動可能にしている。
この様に構成したので、男性の身体障害者が立った状態で大便器に小用する際には体支え部を大便器の上方で大便器の略中央部を跨ぐような手摺り利用位置にセットすることにより、男性の身体障害者がこの体支え部に体をあずけた状態で大便器に向けて排尿することが出来る。勿論、大便器を跨ぐように立って大便器に向けて下方に向けて放尿できるので、ズボンを濡らしたり大便器周りを汚したりすることも無い。
また、大便器に着座して用を足す際には、体支え部を上方に跳ね上げて大便器背面の壁面に近接した収納位置にセットすることにより、体支え部が大便器背面側奥に位置するので、用便の際に邪魔になることは無い。
【０００７】
体支え部が収納位置にあるとき、軸部の中央部分が壁面より突出した突出部を設けることが好ましく、この様にすることで体支え部が収納位置にセットされている時この突出部が大便器前方にあって手が届き易く、併せてこの突出部を目印に握って回動操作できる。
【０００８】
【発明の実施の形態】
以下、図面に示す実施例により本発明を具体的に説明する。
図１は本発明の身体障害者用手摺りを備えたトイレ空間の平面図、図２は同側面図、図３は同正面図である。
【０００９】
トイレ空間Ｔ内にはその床面１に大便器２が設置されると共に、この大便器２背後で大便器２より上方の壁面３には本発明の身体障害者用手摺り４が取り付けられている。
【００１０】
大便器２は男性が足を広げたとき大便器２を跨ぐことが出来る程度の幅の平面視略楕円形状を呈し、大便器２の上面には便座５が便座取付金具６でもって回動自在に取り付けられている。また、この大便器２背面には壁面３に設置されたリモコン式フラッシュバルブ７の２次側給水管８が接続されており、大便器２の側方の壁面９に設けたレバー式のハンドル１０或いは床面１に設けた足踏み式の押し釦１１を押すことによりリモコン式フラッシュバルブ７が作動して、大便器２が洗浄されるように構成されている。
【００１１】
身体障害者用手摺り４は、壁面３への固定部１２と、床面１に対し略水平方向に延び大便器２の幅方向より長い寸法の体支え部１３と、体支え部１３に連設され固定部１２に回動自在に取り付けられる軸部１４とを有する手摺り本体１５とを備えている。そして図２に示す様に体支え部１３が大便器２の上方で大便器２の略中央部を跨ぐような手摺り利用位置Ａと、この手摺り利用位置Ａから上方に回動した位置であって壁面３に近接した収納位置Ｂとの間を回動可能となしている。
【００１２】
固定部１２は例えばφ３４ｍｍのステンレス管で形成されされた略Ｕ字形状を呈する支持管１６と、この支持管１６両端に溶接などの方法で固定された円盤状のフランジ１７を備えている。そして、この実施例では、大便器２の幅より広い間隔で大便器２の中心線を挟んで対称となる位置に２つの固定部１２を、各支持管１６が縦方向になるように木ネジ（図示せず）などでフランジ１７を壁面３に取り付けて、大便器２背後で大便器２より上方の壁面３に固定している。
【００１３】
手摺り本体１５も支持管１６と同様にステンレス管を屈曲して形成され、この実施例では大便器２の幅方向より長い寸法の体支え部１３の両側を略９０度曲げて軸部１４を一体に形成しており、手摺り本体１５は平面視略コ字状を呈している。また、夫々の軸部１４の略中央部は少し折り曲げられて突出部分１８が形成されており、手摺り本体１５を側方より見たとき略く字形状を呈している。そして、手摺り本体１５の両側の軸部１４基端部間には枢軸１９が橋渡し状に設けられ、固定部１２の支持管１６の中途部に差込まれて回動自在に取り付ける。
【００１４】
尚、図示はしていないが支持管１６と枢軸１９との間にはストッパーと摩擦継手を設けて、体支え部１３が大便器２の上方で大便器２の略中央部を跨ぐような手摺り利用位置Ａから下方には回動せず、手摺り利用位置Ａから上方の手摺り集収納位置Ｂへは回動可能としている。そして、この回動範囲内においては、摩擦継手を用いることによって手摺り集収納位置Ｂから下方に向けての自然回転を防止している。
【００１５】
この実施例では、手摺り集収納位置Ｂにおいて、ストッパー（図示せず）により体支え部１３は壁面３から若干の隙間を設けており、この様にすることで体支え部１３が壁面３に当たることによる衝撃音の発生や、体支え部１３及び壁面３の傷つきを防止している。
【００１６】
而して、体支え部１３が手摺り集収納位置Ｂに有るときに男性の身体障害者が立った状態で大便器２に小用する際には、突出部１８を握って体支え部１３を手前側に引き寄せて大便器２の上方で大便器２の略中央部を跨ぐような手摺り利用位置Ａにセットする。また、便座５が大便器２上面にセットされておれば便座５も上方に跳ね上げてから、体支え部１３に体をあずけた状態で大便器２を跨ぐように立ち大便器２に向けて排尿する。
【００１７】
また、体支え部１３が手摺り利用位置Ａにあるときに大便器２に着座して用を足す際には、体支え部１３を上方に跳ね上げて大便器２背面の壁面３に近接した収納位置Ｂにセットし、また、便座５が跳ね上げ状態であれば便座５を大便器２上面にセットしてから、用便する。この時、体支え部１３が大便器２背面側奥に位置するので、用便の際に邪魔になることは無い。
【００１８】
尚、排尿あるいは用便後、レバー式のハンドル１０或いは床面１に設けた足踏み式の押し釦１１を押してリモコン式フラッシュバルブ７を作動させ、大便器２を洗浄する。
【００１９】
本発明は上述の実施例に限定されること無く種々の変形が可能であり、手摺り本体を樹脂管や樹脂棒で形成にしたり、表面を樹脂やゴムでコーティングした金属管などで形成しても良い。
【００２０】
また、壁面への固定部は一つでも良く、この場合、大便器上方背面の壁面で大便器略中心軸平面上に固定部を設ける場合は、手摺り本体を平面視略Ｔ字状に形成し、また、大便器上方背面の壁面で大便器側方に固定部を設ける場合は手摺り本体を平面視略Ｌ字状に形成して大便器を跨ぐようにすれば良い。更に軸部を円弧状に曲げて突出部を形成しても良い。
【００２１】
【発明の効果】
本発明は上記構成により次の効果を発揮する。
男性の身体障害者が立った状態で大便器に小用する際には体支え部を大便器の上方で大便器の略中央部を跨ぐような手摺り利用位置にセットすることにより、男性の身体障害者がこの体支え部に体をあずけた状態で大便器に向けて排尿することが出来る。勿論、大便器を跨ぐように立って大便器に向けて下方に向けて放尿できるので、ズボンを濡らしたり大便器周りを汚したりすることも無い。
また、大便器に着座して用を足す際には、体支え部を上方に跳ね上げて大便器背面の壁面に近接した収納位置にセットすることにより、体支え部が大便器背面側奥に位置するので、用便の際に邪魔になることは無い。
【００２２】
また、身体障害者用トイレブース内に大便器と本発明の身体障害者用手摺りを設ければ、身体障害者用トイレブース内に男性身体障害者用小便器を設置する必要が無くなり、身体障害者用トイレブースを狭くすることが出来るうえ、コストも安くすることが出来る。
【図面の簡単な説明】
【図１】本発明の身体障害者用手摺りを備えたトイレ空間の平面図である。
【図２】同側面図である。
【図３】同正面図である。
【符号の説明】
Ｔ：トイレ空間
Ａ：利用位置
Ｂ：収納位置
１：床面
２：大便器
３：壁面
４：身体障害者用手摺り
５：便座
６：便座取付金具
７：リモコン式フラッシュバルブ
８：２次側給水管
９：壁面
１０：レバー式のハンドル
１１：押し釦
１２：固定部
１３：体支え部
１４：軸部
１５：手摺り本体
１６：支持管
１７：フランジ
１８：突出部
１９：  枢軸
【図１】
2004275245.tif 000003
【図２】
2004275245.tif 000004
【図３】
2004275245.tif 000005